(57)【要約】      （修正有）【課題】取り出し後にウエットシートを広げる煩わしさを解消でき、ウエットシートの使用に際しての利便性の向上を図り得るようにする。【解決手段】封口手段２４により開閉自在な外取り出し口２３を上面側に備えた外装袋８内に、折り畳み状態のウエットシートの積層体３を収容する。積層体３は最上位のウエットシートの上面側の端縁部１９を摘んで広げながら取り出し可能に収容されている。積層体３はジグザグ状に折り畳んで帯状の折り畳み体とした状態のウエットシートを複数枚積層しており、端縁部１９は折り畳み体の幅方向の中間部分に長手方向に沿って配置されている。【選択図】図１
2017210268.tif 000002
【特許請求の範囲】
【請求項１】
封口手段により開閉自在な外取り出し口を上面側に備えた外装袋内に、折り畳み状態のウエットシートの積層体を収容したウエットシート包装体において、前記積層体は最上位の前記ウエットシートの上面側の端縁部を摘んで広げながら取り出し可能に収容されていることを特徴とするウエットシート包装体。
【請求項２】
前記ウエットシートは帯状に折り畳んだ折り畳み体として積層されており、前記端縁部は前記折り畳み体の幅方向の中間部分に長手方向に沿って配置されていることを特徴とする請求項１に記載のウエットシート包装体。
【請求項３】
前記折り畳み体は前記ウエットシートをジグザグ状に折り畳んで構成されていることを特徴とする請求項２に記載のウエットシート包装体。
【請求項４】
前記積層体は前記外取り出し口と対向する積層頂部と、該積層頂部の両側から下側へと続く積層側部とを有することを特徴とする請求項１〜３の何れかに記載のウエットシート包装体。
【請求項５】
保形性を有し且つ前記積層体を収容する内容器を前記外装袋内に備えたことを特徴とする請求項１〜４の何れかに記載のウエットシート包装体。
【請求項６】
前記内容器の開口部を密封し且つ前記外取り出し口に対応する内取り出し口を形成可能な内側シートを備えたことを特徴とする請求項５に記載のウエットシート包装体。
【請求項７】
前記内容器は底壁部から上側に突出して前記積層体の前記外取り出し口と対向する積層頂部を下側から支持する凸部と、該凸部の両側に形成され且つ前記積層頂部を下側へと続く積層側部を収容する凹部とを有することを特徴とする請求項５又は６に記載のウエットシート包装体。
【請求項８】
前記外取り出し口は左右の手指を挿入して前記端縁部の二箇所を摘まみ得る大きさであることを特徴とする請求項１〜７の何れかに記載のウエットシート包装体。
【請求項９】
前記ウエットシートは化粧液が含浸されたパック用のフェイスマスクであることを特徴とする請求項１〜８の何れかに記載のウエットシート包装体。
【請求項１０】
前記フェイスマスクは上下方向の複数箇所の折り畳み部で逆方向に折り畳まれており、前記端縁部は前記フェイスマスクの上側の外周縁側であることを特徴とする請求項９に記載のウエットシート包装体。
【発明の詳細な説明】
【技術分野】
【０００１】
本発明は、パック用フェイスマスク、ウエットティッシュ等のウエットシートを取り出し可能に包装したウエットシート包装体に関するものである。
【背景技術】
【０００２】
パック用フェイスマスク等のウエットシートを複数枚積層した積層体を外装袋に収容して取り出し可能に包装したウエットシート包装体は、ガスバリヤー性を有する外装袋を使用して、その外装袋の上面側に取り出し口と、この取り出し口を開閉自在な蓋体とを設けておき、必要に応じて蓋体を開放して取り出し口からウエットシートを取り出し、その後、蓋体により取り出し口を密封するようになっている。
【０００３】
この種のウエットシート包装体において、フェイスマスク等の大型のウエットシートを対象とする場合には、ウエットシートを左右方向の三箇所の折り畳み部で三つ折り状に折り畳んで帯状にし、それを長手方向の中間の二箇所又は三箇所で折り畳んで適当な大きさの略矩形状の折り畳み体とした後、その折り畳み体を上下方向（厚さ方向）に複数枚積層して積層体を構成し、その積層体を外装袋内に収容して包装している（特許文献１）。
【先行技術文献】
【特許文献】
【０００４】
【特許文献１】特開２０１０−２８５１７６号公報
【発明の概要】
【発明が解決しようとする課題】
【０００５】
このようにウエットシートを適当な大きさまで折り畳んだ状態で包装すれば、フェイスマスク等の大型のウエットシートの場合にも、ウエットシート包装体の全体を比較的コンパクトに構成できる利点がある。
【０００６】
しかし、フェイスマスクの場合には、広げた状態で顔面に貼着して使用するため、折り畳み状態のままで外装袋から取り出し、その後に折り畳み状態のフェイスマスクを広げる必要がある。そのため従来のフェイスマスクでは、外装袋から取り出したフェイスマスクを広げて顔面に貼着するまでの取り扱いが非常に煩わしいという欠点がある。
【０００７】
特にフェイスマスクの場合には、所定箇所に目、鼻及び口に対応して目用開口部、鼻用切込部及び口用開口部が形成されている上に、含浸する多量のパック用化粧液により折り畳み状態の対向部分が互いに貼り付いた状態にあるため、取り出し後のフェイスマスクを広げ難いという問題がある。
【０００８】
本発明は、このような従来の問題点に鑑み、取り出し後にウエットシートを広げる煩わしさを解消でき、ウエットシートの使用に際しての利便性の向上を図ることができるウエットシート包装体を提供することを目的とする。
【課題を解決するための手段】
【０００９】
本発明は、封口手段により開閉自在な外取り出し口を上面側に備えた外装袋内に、折り畳み状態のウエットシートの積層体を収容したウエットシート包装体において、前記積層体は最上位の前記ウエットシートの上面側の端縁部を摘んで広げながら取り出し可能に収容されているものである。
【００１０】
前記ウエットシートは帯状に折り畳んだ折り畳み体として積層されており、前記端縁部は前記折り畳み体の幅方向の中間部分に長手方向に沿って配置されていることもある。前記折り畳み体は前記ウエットシートをジグザグ状に折り畳んで構成されていることもある。
【００１１】
前記積層体は前記外取り出し口と対向する積層頂部と、該積層頂部の両側から下側へと続く積層側部とを有するものでもよい。保形性を有し且つ前記積層体を収容する内容器を前記外装袋内に備えたものでもよい。前記内容器の開口部を密封し且つ前記外取り出し口に対応する内取り出し口を形成可能な内側シートを備えたものでもよい。
【００１２】
前記内容器は底壁部から上側に突出して前記積層体の前記外取り出し口と対向する積層頂部を下側から支持する凸部と、該凸部の両側に形成され且つ前記積層頂部を下側へと続く積層側部を収容する凹部とを有するものでもよい。前記外取り出し口は左右の手指を挿入して前記端縁部の二箇所を摘まみ得る大きさであってもよい。
【００１３】
前記ウエットシートは化粧液が含浸されたパック用のフェイスマスクであてもよい。前記フェイスマスクは上下方向の複数箇所の折り畳み部で逆方向に折り畳まれており、前記端縁部は前記フェイスマスクの上側の外周縁側であってもよい。
【発明の効果】
【００１４】
本発明によれば、取り出し後にウエットシートを広げる煩わしさを解消でき、ウエットシートの使用に際しての利便性の向上を図ることができる利点がある。
【図面の簡単な説明】
【００１５】
【図１】本発明の第１の実施形態を示すウエットシート包装体の開封状態の斜視図である。
【図２】同ウエットシート包装体の開封状態の断面図である。
【図３】同ウエットシート包装体の開封状態の平面図である。
【図４】同内容器の要部の拡大図である。
【図５】同内容器、受け皿等の分解破断斜視図である。
【図６】同ウエットシートの折り畳み工程の説明図である。
【図７】同取り出し状態の側面断面図である。
【図８】同取り出し状態の正面断面図である。
【図９】本発明の第２の実施形態を示す内側シートの平面図である。
【図１０】本発明の第３の実施形態を示すフェイスマスク平面図である。
【図１１】本発明の第４の実施形態を示す積層体の収容状態の断面図である。
【図１２】本発明の第５の実施形態を示す積層体の収容状態の断面図である。
【図１３】本発明の第６の実施形態を示し、（ａ）はフェイスマスクの平面図、（ｂ）は折り畳み状態の斜視図、（ｃ）は収容状態の断面図である。
【図１４】本発明の第７の実施形態を示す積層体の収容状態の断面図である。
【図１５】同内容器、内蓋等の斜視図である。
【発明を実施するための形態】
【００１６】
以下、本発明の各実施形態を図面に基づいて詳述する。
【００１７】
図１〜図８は本発明のウエットシート包装体１の第１の実施形態を例示する。このウエットシート包装体１は、図１〜図３に示すように、複数枚のウエットシート、例えばフェイスマスク２（図６参照）を積層した積層体３と、この積層体３のフェイスマスク２に含浸させる化粧液等の含浸液４とを内容器５に入れて、その内容器５の上側の開口部６を内側シート７で密封し、その後に全体を外装袋８により密封状に包装したものであって、全体として略六面の直方体又は立方体状に構成されている。
【００１８】
外装袋８はガスバリアー性を有する複合フィルム又は複合シート等の外装材を使用してピロー包装等により製袋されている。この外装袋８は各面が略正方形であって、図１〜図３に示すように、その上面部に外取り出し口２３と、この外取り出し口２３を開閉自在に密封する封口手段２４とが設けられている。なお、外取り出し口２３はフェイスマスク２の取り出しに適した大きさの略矩形状に形成されている。
【００１９】
このウエットシート包装体１において、フェイスマスク２を使用する際には、先ず封口手段２４により外装袋８の外取り出し口２３を開封し、次に外取り出し口２３側から内容器５内に手指を挿入して、図７、図８に示すように積層体３の最上位側からフェイスマスク２を一枚ずつ広げながら取り出し、またその後は封口手段２４により外装袋８を密封する。
【００２０】
フェイスマスク２は、図６（ａ）に示すように、不織布その他のシート材を顔面形状に対応する形状に裁断して構成されたシート体９を有し、このシート体９に目用切込み部１０、鼻用切込み部１１、口用切込み部１２等が設けられている。なお、目用切込み部１０に代えて目用開口部を、口用切込み部１２に代えて口用開口部を夫々設けてもよい。
【００２１】
この実施形態では、ウエットシートとしてフェイスマスク２を例示しているが、ウエットシートにはウエットティッシュ、その他のものがある。また含浸液４はフェイスマスク２の場合にはパック用の化粧液が使用されているが、ウエットティッシュ、その他のものの場合には、その使用目的に応じた液体を使用すればよい。
【００２２】
フェイスマスク２は、シート体９を上下二箇所の略平行な線状の折り畳み部１３，１４でＺ状（ジグザグ状）に折り畳んで、上側部１５と中側部１６と下側部１７とが上下に重なる左右方向に長い折り畳み体１８とし（図６（ｂ）参照）、その折り畳み体１８を上下に複数枚を積層して積層体３が構成されている（図６（ｃ）参照）。
【００２３】
シート体９の折り畳み部１３，１４は、図６（ａ）に示すように、上側部１５の幅Ｗ１が中側部１６の幅Ｗ２の略半分又は半分前後となり、下側部１７の幅Ｗ３が中側部１６の幅Ｗ２と略同じか若干小さくなるような上下方向の間隔で左右方向に略平行に形成されている。そして、このシート体９は上側部１５を折り畳み部１３に沿って中側部１６の上側に、下側部１７を折り畳み部１４に沿って中側部１６の下側に夫々折り畳むことにより、一つの帯状の折り畳み体１８とする。
【００２４】
従って、折り畳み体１８は、図７、図８に示すように内容器５内のフェイスマスク２を取り出すときに、上側部１５の端縁部１９の略中央部分の両側を二つの摘まみ部位２１（図６（ｂ）参照）を左右両手の指先で摘んで上側へと引き上げることにより、フェイスマスク２を広げて展開状態にすることが可能である。なお、摘まみ部位２１となる端縁部１９は、フェイスマスク２の上側に位置する外周縁側である。
【００２５】
積層体３は、図６（ｄ）に示すように、複数枚の折り畳み体１８を積層した状態のままで長手方向に略逆Ｕ字状に湾曲させて内容器５内に収容されている。そのため積層体３には、図２に示すように、折り畳み体１８の上側部１５の端縁部１９が外取り出し口２３等と対向する上向き円弧状の積層頂部２６と、この積層頂部２６の両側から下側へと続く積層側部２７とを折り畳み体１８の長手方向に備えている。
【００２６】
封口手段２４は封口シート２８により構成されている。封口シート２８は、図１〜図３に示すように、外取り出し口２３の外周側の全周に形成された粘着部２９と、粘着部２９の外側に設けられた摘まみ部３０と、摘まみ部３０と反対側に設けられた剥離阻止部３１とを有し、剥離阻止部３１間の粘着部２９を除く他の粘着部２９が外装袋８の上面側に剥離可能に貼着されている。なお、封口シート２８には、外装袋８の外取り出し口２３に対応する切除片３２が貼付されている。
【００２７】
内容器５は保形性を有する薄手のプラスチック製であって、図２、図５に示すように、上側が広がるテーパー状の周壁部３５と、この周壁部３５の下端側に一体に形成された底壁部３６と、周壁部３５の上端から外側に屈曲してフランジ状に形成された外周縁３７とを有し、上側が開放する開口部６となっており、下側の受け皿３８に載せた状態で外装袋８により包装されている。内容器５と受け皿３８との間には位置決め手段３９が設けられている。
【００２８】
周壁部３５には上下方向に長い複数本の補強部３４が、また底壁部３６には積層体３を受ける突起部４０が夫々設けられている。補強部３４は周壁部３５の上下方向の剛性を確保するためのものであり、外側が溝状となるように内側に凹入しているが、外側に凸状に突出するように設けてもよい。突起部４０は周方向に連続する平面視角形状であって、同心状に複数条設けられている。この突起部４０は内容器５の底壁部３６から上側に突出しており、その裏側が位置決め凹部４０ａとなっている。
【００２９】
受け皿３８は内容器５の外周縁３７の外側と略同じ大きさであって、外装袋８により包装したときにウエットシート包装体１の上下両側が略同じ寸法となるように構成されている。この受け皿３８の底壁部４１には、内容器５の位置決め凹部４０ａに下側から入る位置決め凸部４２が設けられている。位置決め手段３９は位置決め凹部４０ａと位置決め凸部４２とによって構成されている。
【００３０】
内側シート７にはラミネート複合フィルム等のガスバリアー性を有するシートが使用されており、内容器５の開口部６を密封するように外周縁３７にヒートシール、その他により周方向の全周の固着部４３で固着されている。なお、内側シート７はその略全面が略平坦状となるように張り状態で固着されている。
【００３１】
内側シート７には、外取り出し口２３に対応する内取り出し口４４を形成可能な破断部４５が周方向に設けられている。破断部４５は図４（ａ）に示すように、内側シート７の厚さ方向の一部を残すハーフカットにより形成されている。そして、内側シート７は破断部４５よりも内側部分を手指で押圧したときに破断部４５の残り部分が破断し、図４（ｂ）に示すようにその破断片４６が内側シート７から分離して、その除去跡に内取り出し口４４ができるようになっている。内側シート７のハーフカットはレーザ加工が適当であるが、他の方法により加工してもよい。
【００３２】
なお、内側シート７に略四角形の内取り出し口４４用の破断部４５を設ける場合、図５に二点鎖線で示す如く内取り出し口４４の四隅に凹入部４５ａができるように外側に膨らむ破断部４５を設けてもよい。
【００３３】
また破断部４５は内側シート７の破断片４６を上側に引っ張れば容易に除去できるように全周に設けてもよいし、周方向の一部を残して破断片４６を内側シート７の下側に折り込むようにしてもよい。
【００３４】
外装袋８の外取り出し口２３と内側シート７の内取り出し口４４は、図５に示すように上下に相対応して配置されており、この両者の開口量は、積層体３の最上位のフェイスマスク２の端縁部１９を左右両手の手指を指先側から内容器５内に挿入して、積層体３の最上位のフェイスマスク２の端縁部１９の摘まみ部位２１を摘まみ得る大きさになっている。
【００３５】
従って、このウエットシート包装体１では、三つ折り状の折り畳み体１８を上下に積層した積層体３を逆Ｕ字状に湾曲させて内容器５内に収容していることと相俟って、フェイスマスク２を取り出すときに、最上位のフェイスマスク２の上面側の端縁部１９の二箇所を摘まんで上側に引き出すことにより、そのフェイスマスク２を広げながら取り出すことが可能である。
【００３６】
内側シート７の内取り出し口４４は外装袋８の外取り出し口２３よりも若干小さくなっている。即ち、内側シート７の内取り出し口４４の開口縁４４ａは、外取り出し口２３の開口縁２３ａよりも内側に位置しており、図５に示すように、積層体３の最上位のフェイスマスク２の中央側を摘んで取り出すときに、フェイスマスク２の外側を擦って余分な付着液を掻き落として除去するようになっている。なお、内取り出し口４４の周縁は波状に屈曲して形成されているが、直線状、円弧状等でもよい。
【００３７】
破断部４５は外装袋８の外取り出し口２３の開口縁２３ａよりも内側にあり、破断部４５で内側シート７を破断して内取り出し口４４を形成した場合にも、内側シート７の内取り出し口４４よりも外側の部分が封口シート２８の粘着部２９に平坦状に対応して、封口シート２８を上側から押圧したときに、外装袋８の上面部を内側シート７の内取り出し口４４よりも外側の部分を下側から支持できるようになっている。
【００３８】
このウエットシート包装体１を製造するに際しては、先ずウエットシートを三つ折り状に折り畳んだ折り畳み体１８を複数枚積層して積層体３とした後、積層頂部２６と積層側部２７とができるように積層体３を逆Ｕ字状に湾曲させて、積層側部２７側が下側となるように積層体３を内容器５内に挿入する。
【００３９】
なお、積層体３を内容器５内に挿入するに当たっては、図１、図３に示すように、折り畳み体１８の上側部１５の折り畳み部１３が封口シート２８の摘まみ部３０側となり、上側部１５の端縁部１９が剥離阻止部３１側となるように挿入することが望ましい。勿論、積層体３は逆向きに挿入してもよい。
【００４０】
次に内容器５内の積層体３を押圧した状態で内容器５内に所定量の含浸液４を注入し、その後に積層体３の押圧を解除する。これによって内容器５内の含浸液４を容易に積層体３のフェイスマスク２のシート体９に含浸させることができる。そして、内容器５内に積層体３、含浸液４を入れた後、内容器５の外周縁３７上の固着部４３で内側シート７を固着して内容器５の開口部６を密封し、その状態で外装袋８により包装する。
【００４１】
このようなウエットシート包装体１では、内容器５の開口部６を内側シート７により密封した状態にあるので、内容器５が傾斜、転倒するようなことがあっても、内容器５内の含浸液４が外装袋８の内部に漏れ出すようなことがなく、ウエットシート包装体１の製造後の取り扱いを容易にできる。
【００４２】
また内容器５内の含浸液４の零れがなく、内容器５内の含浸液４により常時安定的にフェイスマスク２を湿潤化できるため、内容器５内の含浸液４の絶対量を少なくすることが可能である。
【００４３】
しかも、このウエットシート包装体１は、外装袋８の上面側にユーザーの購買意欲を喚起するような名称その他の情報を印刷するのが一般的であるが、内容器５内の含浸液４の零れがないため、小売店の店頭に展示する際に、外装袋８の上面側を前に向けた状態で展示することも可能である。従って、ユーザーの購買意欲を喚起する上で最適な姿勢でウエットシート包装体１を展示することができる。
【００４４】
フェイスマスク２を取り出す場合には、外装袋８の封口シート２８を剥離して外取り出し口２３を開けた後、内側シート７の中央側を下方に押圧すると、破断部４５が破断して内取り出し口４４を開口することができる。従って、内側シート７に内取り出し口４４を形成するまでは、内容器５の開口部６を内側シート７で密封状態であるにも拘わらず、その内取り出し口４４の形成が容易であり、内容器５内のウエットシートを取り出し可能な状態に容易にすることができる。なお、内側シート７に内取り出し口４４を形成したときにできる破断片４６は引っ張って除去してもよいし、下側に折り込んでもよい。
【００４５】
内取り出し口４４が開口すると、外取り出し口２３及び内取り出し口４４から内容器５内に左右両手の指先を挿入して、図７に二点鎖線で示すように指先で積層体３の最上位のフェイスマスク２の端縁部１９を剥がした後、図７、図８に示すように端縁部１９の二箇所の摘まみ部位２１を両手の手指で摘んだ状態で上側へと引き上げる。
【００４６】
このとき積層体３のフェイスマスク２は、三つ折り状の折り畳み体１８を上下に積層した状態で逆Ｕ字状に湾曲させて内容器５内に収容しており、その上側部１５と中側部１６と下側部１７とが化粧液等の含浸液４で貼り着いた状態にあるため、左右両手の手指により端縁部１９の二箇所の摘まみ部位２１を摘んで引き上げると、その上側部１５が中側部１６から剥離して引き上げられ、続いて中側部１６が下側部１７から剥離して引き上げられ、最後に下側部１７がその下側のフェイスマスク２の上側部１５から剥離する。
【００４７】
従って、内容器５内のフェイスマスク２を広げながら取り出すことが可能であり、折り畳み状態のままで取り出した後に、その折り畳み状態のフェイスマスク２を広げて展開状態にする必要のある従来に比較して、取り出し後にフェイスマスク２を広げる煩わしさを解消でき、フェイスマスク２の使用に際しての利便性の向上を図ることができる利点がある。
【００４８】
またフェイスマスク２は三つ折り状の折り畳み体１８を上下に積層した状態で逆Ｕ字状に折り曲げて内容器５内に収容しているため、ウエットシート包装体１自体の前後、左右の寸法を小さくしてコンパクトに構成できるにも拘わらず、フェイスマスク２自体の折り畳み回数が少なくなり、その取り出し時に容易にフェイスマスク２を広げることができる。
【００４９】
更に積層体３はフェイスマスク２の折り畳み体１８を上下に複数枚積層して逆Ｕ字状に折り曲げた状態で内容器５内に収容しているため、最上位のフェイスマスク２の上側部１５が取り出し口２３，４４に接近することになり、そのフェイスマスク２の端縁部１９を容易に摘むことができる。
【００５０】
なお、積層体３を内容器５に収容する際に、折り畳み体１８の上側部１５の折り畳み部１３が封口シート２８の摘まみ部３０側となり、上側部１５の端縁部１９が剥離阻止部３１側となるように挿入しておけば、フェイスマスク２の取り出し時に、開封状態にある封口シート２８が邪魔になるようなこともなく、しかも含浸液４で貼着状態にある上側部１５の端縁部１９側を爪先等で容易に剥がすことができる。
【００５１】
また内容器５内のフェイスマスク２を図５に示すように広げながら取り出すため、内側シート７の内取り出し口４４の開口縁４４ａにより、フェイスマスク２に含浸し付着した含浸液４の内、余分な付着液を内側シート７の開口縁４４ａで掻き落として除去することができる。
【００５２】
そのためフェイスマスク２を取り出す都度、内容器５内の多くの含浸液４が必要以上に減少する等の問題もなくなり、内容器５内の含浸液４を残りのフェイスマスク２の積層枚数に応じた量に保つことが可能であり、フェイスマスク２に対する含浸液４の含浸状況のバラツキを防止することができる。
【００５３】
フェイスマスク２を取り出した後は、封口シート２８を粘着部２９で外装袋８の上面側に貼着して外取り出し口２３を密封する。この密封に際しても、内側シート７の開口縁４４ａでフェイスマスク２の余分な付着液を除去できる上に、内取り出し口４４が外取り出し口２３よりも小さくなっているので、フェイスマスク２に付着した含浸液４が外装袋８の上面側に付着し難くなり、封口シート２８を粘着部２９を介して外装袋８の上面側に確実に貼着することができる。
【００５４】
更に封口シート２８を粘着部２９を介して外装袋８の上面側に貼着する際には、封口シート２８を上側から手指等により軽く押圧するが、このときに内側シート７が外装袋８を下側から支えるため、粘着部２９を介して封口シート２８を確実に外装袋８に貼着することができる。従って、外装袋８の上面側に皺等が発生するようなことがなく、外装袋８を封口シート２８により容易に密封することができる。
【００５５】
図９は本発明の第２の実施形態を例示する。内側シート７に破断部４７，４８等を形成するに当たっては、図９（ａ）〜（ｃ）に示すように形成してもよい。図９（ａ）では内側シート７に内取り出し口４４用の第１破断部４７と、この第１破断部４７よりも内側に設けられた略Ｕ字状、略Ｃ字状、その他の屈曲状に形成された第２破断部４８とが設けられている。
【００５６】
この場合には内側シート７の中心部分を押圧して第２破断部４８を破断すれば、内側シート７の中央部分に指掛け孔４９を形成することができる。そして、指掛け孔４９から内側シート７に指を挿入して下側から指を掛けて内側シート７を上側に引っ張ることにより、第１破断部４７が破断して内取り出し口４４を形成することができる。従って、第１の実施形態の場合に比較して内取り出し口４４を容易に設けることができ、しかも同時に破断片４６を取り除くことができる。
【００５７】
図９（ｂ）では内側シート７に内取り出し口４４用の第１破断部４７と、この第１破断部４７の相対向する二辺に跨がって形成されたＳ字状、その他の指掛け孔４９用の第２破断部４８とが設けられている。
【００５８】
この場合には内側シート７の中心部分を押圧して第２破断部４８を破断するので、そこから指を挿入して、第２破断部４８を挟む両側部分を夫々上側へと引っ張り、その各部分を第１破断部４７で破断して内取り出し口４４を形成することができる。なお、第２破断部４７の両端又は一端が第１破断部４７に接続せずに、その間に接続部分が残るようにしてもよい。
【００５９】
図９（ｃ）では内側シート７に内取り出し口４４用の第１破断部４７と、この第１破断部４７の一辺から中央側にＪ字状に形成された第２破断部４８とが設けられている。この場合には内側シート７の中心部分を押圧して第２破断部４８を破断し、そこから指を挿入して第１破断部４７の内側部分を上側へと引っ張ると、第１破断部４７が破断して内取り出し口４４を形成することができる。
【００６０】
図１０は本発明の第３の実施形態を例示する。フェイスマスク２は、図１０に示すように円形に近いシート体９が使用され、そのシート体９に目用開口部５０、鼻用切込み部１１、口用開口部５２が設けられている。鼻用切込み部１１は鼻覆い部５３の左右両側に上下方向に長く形成されている。
【００６１】
なお、鼻用切込み部１１が上下方向に長い場合には、鼻覆い部５３の下端とその下側のシート体９との間に破断可能な接続部５４を設けて、フェイスマスク２を顔面に貼着するときに、この接続部５４を破断するようにしてもよい。他の構成は第１の実施形態と同様である。
【００６２】
このようにフェイスマスク２の場合にも、その形状等は自在に変更可能である。またフェイスマスク２、その他のウエットシートは、一枚のシート体９で構成したものでもよいし、複数枚のシート体９を重ねて接合して構成したものでもよい。従って、フェイスマスク２は折り畳んで折り畳み体１８を構成できるものであれば十分である。
【００６３】
図１１は本発明の第４の実施形態を例示する。内容器５内にフェイスマスク２の積層体３を収容するに当たっては、積層状態の折り畳み体１８を図１１（ａ）〜（ｃ）に示すように折り曲げてもよい。
【００６４】
図１１（ａ）では内容器５内に中空状等の支持体５６が挿入され、この支持体５６に上側から跨がるように、逆Ｕ字状に折り曲げられた積層体３が内容器５内に収納されている。このように内容器５内の積層体３を支持体５６で支持することも可能である。この場合には、積層体３の積層頂部２６側の高さが支持体５６によって略一定するため、フェイスマスク２の端縁部１９を容易且つ確実に摘まむことができる。支持体５６は吸湿性のない軽いものが望ましい。なお、支持体５６を省くことも可能である。
【００６５】
図１１（ｂ）の積層体３は、積層頂部２６からその両側の積層側部２７に跨がって略Ｃ字状に折り曲げられており、その積層側部２７の下端側が内側に屈曲して相対向するように内容器５内に収容されている。この場合には、積層体３が略Ｃ字状であるため、逆Ｕ字状に折り曲げたものに比較して積層体３自体の高さが低くなり、ウエットシート包装体１の高さを低くすることができる。
【００６６】
図１１（ｃ）では、積層体３の二つの積層側部２７の内、一方の積層側部２７は積層頂部２６の一端側から略真っ直ぐに下方に延び、他方の積層側部２７は積層頂部２６の他端側から略Ｓ字状に屈曲する屈曲状になっている。
【００６７】
このようにすれば、折り畳み体１８の長さが長い場合でも、その積層体３を内容器５内に収容することができる。なお、この積層体３の場合には、積層頂部２６の位置が折り畳み体１８の長手方向の略中央からズレるが、フェイスマスク２を広げながら取り出す上では別段問題はない。
【００６８】
なお、積層体３を内容器５内に収容するに当たっては、長手方向の複数箇所で個々の折り畳み体１８を折り畳まずに、積層状態の内容器５を適宜形状に屈曲又は湾曲させて内容器５内に収容することが望ましい。なお、積層体３は他の形状に屈曲又は湾曲させてもよい。他の構成は第１の実施形態と同様である。
【００６９】
図１２は本発明の第５の実施形態を例示する。内容器５は図１２（ａ）（ｂ）に示すように底壁部３６に凸部５７を備え、その凸部５７で積層体３を支持するようにしてもよい。
【００７０】
図１２（ａ）では内容器５の底壁部３６の中央に広幅の凸部５７が、この凸部５７の両側に凹部５８が夫々設けられている。凹部５８は積層体３の積層厚さよりも若干大きい程度であり、凸部５７の上側に積層頂部２６が、各凹部５８に各積層側部２７が夫々配置されている。
【００７１】
このような内容器５を使用すれば、内容器５内で積層体３が安定するため、フェイスマスク２の取り出しが容易であると共に、内容器５内の含浸液４の充填量も少なくすることができる。また内容器５の底壁部３６側の剛性も大にできる。
【００７２】
図１２（ｂ）では中央に凸部５７の幅が狭く、その両側の凹部５８の幅が広くなっている。そして、積層体３は積層頂部２６の両側の積層側部２７を略Ｕ字状に折り曲げた状態で各凹部５８内に配置されている。
【００７３】
このようにすれば、折り畳み体１８の長さが長い場合にも、その積層体３を内容器５内に収容することができる。他の構成は第１の実施形態と同様である。
【００７４】
図１３は本発明の第６の実施形態を例示する。この実施形態は、顔面の上半分、下半分等に部分的に貼着するフェイスマスク２の場合を例示する。例えば、口周辺から左右の両頬にかけて顔面の下半分に貼着するフェイスマスク２の場合は、図１３（ａ）に示すように広げた状態で左右方向に長い帯状のシート体９が使用されている。なお、シート体９には、口用開口部５２が形成されている。
【００７５】
このようなフェイスマスク２の場合には、図１３（ｂ）に示すように、シート体９を長手方向の三箇所の折り畳み部１３，１４で三つ折り状に折り畳んで折り畳み体１８を構成する。そして、この折り畳み体１８を複数枚積層して積層体３を構成し、その積層体３を図１３（ｃ）に示すように内容器５内に収容すればよい。なお、シート体９の長さが比較的短い場合には、長手方向の一箇所の折り畳み部１３で二つ折り状に折り畳み、また逆にシート体９の長さが長い場合には、四箇所以上の折り畳み部で折り畳むようにしてもよい。他の構成は各実施形態と同様である。
【００７６】
このように帯状のシート体９を使用するフェイスマスク２の場合には、そのシート体９を折り畳んだ折り畳み体１８は、図１３（ｂ）に示すように矩形状又はそれに近い状態になるため、積層体３を内容器５に収容するに当たって逆Ｕ字状等に屈曲させる必要はなく、複数枚の折り畳み体１８を単に積層した積層体３をそのままで内容器５内に収容すればよい。この場合にも、フェイスマスク２の一端側を左右両手の手指で摘んで取り出すことにより、各実施形態と同様にフェイスマスク２を長手方向に広げながら取り出すことができる。なお、顔面の上半分に貼着するためのフェイスマスク２の場合にも同様に実施可能てある。
【００７７】
図１４及び図１５は本発明の第７の実施形態を例示する。この実施形態では、内容器５の開口部６側には、内蓋６０が着脱自在に設けられている。内蓋６０は受け皿３８と略同形状であって、中央にはフェイスマスク２用の内取り出し口４４が予め形成されている。なお、内蓋６０は内側に突出する係合部６１を有し、その係合部６１が内容器５の上端の外周縁３７に係脱自在に係合するようになっている。他の構成は各実施形態と同様である。
【００７８】
このように内容器５の開口部６側に内蓋６０を着脱自在に備えたものでもよい。この場合には、内容器５内に積層体３を収容して含浸液４を注入した後に、その内容器５の開口部６側に内蓋６０を装着する。そして、その後に外装袋８に入れて包装するればよい。なお、内蓋６０には予め内取り出し口４４が形成されているため、内容器５内の含浸液４が零れないように取り扱う必要がある。
【００７９】
以上、本発明の実施形態について詳述したが、本発明はこの実施形態に限定されるものではなく種々の変更が可能である。例えば、内容器５を下側から受ける受け皿３８を備えたものを例示しているが、受け皿３８は省略することもできる。
【００８０】
破断部４５は一般的には内側シート７に筋状又は線状に１本あればよいが、内外に複数本の破断部４５を設けておき、破断すべき破断部４５を選択することにより、ユーザーの好みに応じて内取り出し口４４の大きさを調整できるようにしてもよい。
【００８１】
内容器５の開口部６を密閉する内側シート７を設けるに当たっては、支持枠に内側シート７を備え、その支持枠を内容器５の開口部６側に密封可能に装着するようにしてもよい。内容器５に対する内側シート７の固着手段は熱溶着、接着その他の任意の方法を採用することが可能である。
【００８２】
内側シート７はガスバリアー性を有する複合フィルム等が適当であるが、外装袋８により密封しているので、含浸液４の液漏れを防止できるものであれば、必ずしもガスバリアー性のないものでもよい。
【００８３】
封口シート２８の粘着部２９は外取り出し口２３の外周側に広幅状に設ける他、外取り出し口２３の外周側を取り囲むように内外方向に複数本の筋状に設けることも可能である。
【００８４】
内取り出し口４４の開口量は、内取り出し口４４から手指を挿入してフェイスマスク２を摘むときの利便性と、内取り出し口４４からフェイスマスク２を取り出すときの付着液の除去効果とを勘案して適宜決定すればよい。
【００８５】
内取り出し口４４の開口縁４４ａでフェイスマスク２に付着した含浸液４を掻き落とすか否かは、フェイスマスク２と内取り出し口４４との大きさの大小によって相対的に決まるものであり、フェイスマスク２の取り出し時に、その取り出し方向によってはフェイスマスク２が内取り出し口４４の開口縁４４ａに軽く接触する程度であってもよく、含浸液４を積極的に掻き落とすような機能のないものでもよい。
【００８６】
内取り出し口４４の開口縁４４ａは、その全周が外取り出し口２３の開口縁２３ａよりも内側に位置することが望ましい。また内取り出し口４４の開口縁４４ａと外取り出し口２３の開口縁２３ａとの間には、フェイスマスク２の含浸液４が粘着部２９に付着しないように内外方向に所定の間隔を設けることが望ましい。しかし、粘着部２９の内周側と外取り出し口２３の開口縁２３ａとの間に十分な間隔がある場合には、内取り出し口４４の開口縁４４ａと外取り出し口２３の開口縁２３ａとが略同じになるか、内取り出し口４４の開口縁４４ａが外取り出し口２３の開口縁２３ａよりも若干内側となる程度であってもよい。
【００８７】
フェイスマスク２等のウエットシートの場合には、そのシート体９を三つ折り状に折り畳んで折り畳み体１８を構成するのが一般的であるが、シート体９を四つ折り状、又はそれ以上に折り畳んでもよい。
【００８８】
外装袋８の封口手段２４は、封口シート２８を外装袋８の上面側に剥離可能に貼着する貼着式を例示しているが、外装袋８の外取り出し口２３を取り囲む開口枠と、この開口枠にヒンジを介して開閉自在に連結された開閉蓋とを備えたようなものでもよい。また開閉蓋は開口枠に対して着脱自在に設けてもよい。
【符号の説明】
【００８９】
１  ウエットシート包装体
２  フェイスマスク（ウエットシート）
３  積層体
５  内容器
６  開口部
７  内側シート
８  外装袋
１３，１４  折り畳み部
１８  折り畳み体
１９  端縁部
２１  摘まみ部
２３  外取り出し口
２４  封口手段
２６  積層頂部
２７  積層側部
４４  内取り出し口
５７  凸部
５８  凹部
【図１】
2017210268.tif 000003
【図２】
2017210268.tif 000004
【図３】
2017210268.tif 000005
【図４】
2017210268.tif 000006
【図５】
2017210268.tif 000007
【図６】
2017210268.tif 000008
【図７】
2017210268.tif 000009
【図８】
2017210268.tif 000010
【図９】
2017210268.tif 000011
【図１０】
2017210268.tif 000012
【図１１】
2017210268.tif 000013
【図１２】
2017210268.tif 000014
【図１３】
2017210268.tif 000015
【図１４】
2017210268.tif 000016
【図１５】
2017210268.tif 000017